(57)【要約】【課題】画像表示の画面に字幕と提示情報を同時に表示する場合に、重畳表示をできる限り避けて見やすい画面を構成する。【解決手段】画面の縦横を区切って“Ａ”ないし“Ｍ”のエリアに分け、字幕が表示される“Ｈ”他のエリアを避けて、例えば“Ａ”他のエリアを選択して提示情報を表示する。提示情報を表示するエリアは、エリアごとの字幕の表示履歴が最小のものから順に選択してもよく、エリアごとに予め定めた優先順位が最高のものから順に選択してもよい。【選択図】図６
2010200151.tif 000002
【特許請求の範囲】
【請求項１】
画面上の表示位置が指定された字幕情報を含む画像データの取得手段と、
前記取得手段が受信した字幕付きの画像と、提示情報を画面に表示することができる表示手段と、
前記表示手段の画面を複数のエリアに区切ると共に前記指定された字幕情報の表示位置と比較して前記複数のエリアのいずれかを選択し、かつ、前記選択したエリアに前記提示情報を表示させることができる表示制御手段と
を備えたことを特徴とする画像表示装置。
【請求項２】
前記表示制御手段は、前記複数のエリアのうち、前記指定された字幕情報の表示位置と重ならない非重複エリアを選択して前記提示情報を表示させることができることを特徴とする請求項１に記載の画像表示装置。
【請求項３】
前記表示制御手段は、前記複数のエリアのそれぞれにおける字幕表示の履歴データを記憶し、前記非重複エリアを複数発見したとき、前記非重複エリアのうち前記履歴データから字幕情報の表示履歴が最小であると判断される最小履歴エリアから順に選択して前記提示情報を表示させることができることを特徴とする請求項２に記載の画像表示装置。
【請求項４】
前記表示制御手段は、前記複数のエリアのそれぞれにおける字幕表示の履歴データを記憶し、前記非重複エリアを発見しないとき、前記複数のエリアのうち前記履歴データから字幕情報の表示履歴が最小であると判断される最小履歴エリアから順に選択して前記提示情報を表示させることができることを特徴とする請求項２に記載の画像表示装置。
【請求項５】
前記表示制御手段は、前記複数のエリアのそれぞれに対して前記提示情報の表示の優先順位を予め定め、前記非重複エリアを複数発見したとき、前記非重複エリアのうち前記優先順位の最も高いエリアから順に選択して前記提示情報を表示させることができることを特徴とする請求項２に記載の画像表示装置。
【請求項６】
前記表示制御手段は、前記複数のエリアのそれぞれに対して前記提示情報の表示の優先順位を予め定め、前記非重複エリアを発見しないとき、前記複数のエリアのうち前記優先順位の最も高いエリアから順に選択して前記提示情報を表示させることができることを特徴とする請求項２に記載の画像表示装置。
【請求項７】
前記表示制御手段は、前記複数のエリアのそれぞれに対して前記提示情報の表示の優先順位を予め定め、前記最小履歴エリアを複数発見したとき、前記最小履歴エリアのうち前記優先順位の最も高いエリアから順に選択して前記提示情報を表示させることができることを特徴とする請求項３又は請求項４に記載の画像表示装置。
【請求項８】
前記取得手段は、前記字幕情報を含むテレビジョン放送の受信手段であることを特徴とする請求項１に記載の画像表示装置。
【請求項９】
前記取得手段は前記字幕情報を含むテレビジョン放送の受信手段であって、前記提示情報は前記テレビジョン放送に含まれた画面上の表示位置を指定しない情報を含むことを特徴とする請求項１に記載の画像表示装置。
【請求項１０】
前記取得手段は前記字幕情報を含むテレビジョン放送の受信手段であって、前記提示情報は前記テレビジョン放送に含まれた以外の情報を含むことを特徴とする請求項１に記載の画像表示装置。
【請求項１１】
前記取得手段は、前記字幕情報を含むストリーミング動画データの取得手段であることを特徴とする請求項１に記載の画像表示装置。
【請求項１２】
前記取得手段は、前記字幕情報を含む画像データが保存された記憶媒体の読み取り手段であることを特徴とする請求項１に記載の画像表示装置。
【発明の詳細な説明】
【技術分野】
【０００１】
本発明は画像表示装置に係り、特に字幕情報を含む画像を表示することができる装置に関する。
【背景技術】
【０００２】
例えば地上波デジタルテレビジョン放送（以下、ＤＴＴＢと略す。）のフルセグメント放送（ＤＴＴＢ波のチャネルの分割単位である複数のセグメントの大部分を利用する放送。以下、フルセグ放送と略す。）においては、放送波に画像や音声だけでなく字幕情報や他の提示情報（例えば番組情報）が含まれることがある。その際、字幕情報は受信装置の画面上の表示位置を指定されて放送されるが、番組情報は表示位置を指定されるとは限らない。
【０００３】
上記のような場合、フルセグ放送の受信装置の画面には、画像と、字幕と、提示情報（例えば番組情報）が同時に表示されることがある。例えばフルセグ放送の受信機能を備えた携帯電話機のように小サイズの画面上でこのような同時表示がされると、字幕と提示情報の表示が重なって見づらいことがある。なお提示情報としては、放送波に含まれた以外の情報（例えば受信装置のステータス、操作入力等に関する情報）も考えられる。
【０００４】
字幕と提示情報の重畳表示を避けるため、画面上に提示情報の表示専用のエリアを設けることが考えられるが、その分画像の表示領域が狭まって放送画面を見づらくするという問題がある。また、提示情報の表示位置を頻繁に変更することが考えられるが、落ち着かない表示のためにやはり画面を見づらくするという問題がある。
【０００５】
上記と同一ではないが類似する問題の解決策として、画像と文字列の表示領域を画面上で区別し、重畳を避ける技術が知られている（例えば、特許文献１参照。）。特許文献１に開示された表示装置は、表示画面の全領域から画像表示領域と文字列表示領域以外の余白領域を検出することができ、余白領域を利用して画像と文字列とが同一の表示画面内に収まるようにそれらの位置又は大きさを変更して再配置するというものである。
【０００６】
これとは別に、複数の受信情報を受信装置の操作状態や受信する情報に応じて適切に表示する技術が知られている（例えば、特許文献２参照。）。特許文献２に開示された携帯情報端末装置は２の表示画面を備え、２画面を同時に開いた姿勢では例えば画像と文字を２画面のそれぞれに分けて表示し、１画面のみ開いた姿勢では画像と文字を１画面に重畳表示するように制御するというものである。
【先行技術文献】
【特許文献】
【０００７】
【特許文献１】特開２００８−５８９５４号公報（第１５、１６ページ、図１）
【特許文献２】特開２００５−１９８２５９号公報（第１３ページ、図７）
【発明の概要】
【発明が解決しようとする課題】
【０００８】
上述した特許文献１に開示された表示装置は、表示画面の一部に余白領域が存在することを前提として、その余白領域を画像と文字列の再配置に利用するものである。携帯電話機のようにもともと表示画面に余白領域をとる余裕が少ない場合には、特許文献１に記載されたような再配置を行うことが難しいという問題がある。
【０００９】
上述した特許文献２に開示された携帯情報端末装置は、２の表示画面を備えることを前提としている。多くの携帯電話機のように画像も文字も１つの画面に表示するように構成された装置では、特許文献２に記載された技術を適用することができないという問題がある。
【００１０】
本発明は上記問題を解決するためになされたもので、テレビジョン放送受信装置をはじめとする画像表示装置において１つの画面に字幕と提示情報を同時に表示する場合に、重畳表示をできる限り避けて見やすい画面を構成することを目的とする。
【課題を解決するための手段】
【００１１】
上記目的を達成するために、本発明の画像表示装置は、画面上の表示位置が指定された字幕情報を含む画像データの取得手段と、前記取得手段が受信した字幕付きの画像と、提示情報を画面に表示することができる表示手段と、前記表示手段の画面を複数のエリアに区切ると共に前記指定された字幕情報の表示位置と比較して前記複数のエリアのいずれかを選択し、かつ、前記選択したエリアに前記提示情報を表示させることができる表示制御手段とを備えたことを特徴とする。
【発明の効果】
【００１２】
本発明によれば、画像表示装置の表示画面を複数のエリアに区切ってその中から字幕情報の表示位置を避けるように選択したエリアを提示情報の表示に利用することにより、１つの画面に字幕と提示情報を同時に表示する場合に、重畳表示をできる限り避けて見やすい画面を構成することができる。
【図面の簡単な説明】
【００１３】
【図１】本発明の実施例に係る画像表示装置（携帯通信端末）の外観（正面）図。
【図２】本発明の実施例に係る携帯通信端末のブロック図。
【図３】本発明の実施例に係る携帯通信端末の復号／描画部の機能ブロック図。
【図４】本発明の実施例に係る携帯通信端末において、提示情報の画面上の表示位置指示の単位とする画面の区切りを例示する図。
【図５】本発明の実施例に係る携帯通信端末において、図４の画面を区切る各エリアと字幕の表示位置の関係を例示する図。
【図６】本発明の実施例に係る携帯通信端末において、字幕との非重複エリアへの提示情報の表示を例示する図。
【図７】本発明の実施例に係る携帯通信端末において、各エリアの字幕の表示履歴を例示する図。
【図８】本発明の実施例に係る携帯通信端末において、図７に示した場合における字幕と提示情報の表示位置を例示する図。
【図９】本発明の実施例に係る携帯通信端末において、各エリアの優先順位を例示する図。
【図１０】本発明の実施例に係る携帯通信端末の画像表示に係る動作を例示するフローチャート。
【発明を実施するための形態】
【００１４】
以下、図１ないし図１０を参照して、本発明の実施例を説明する。図１は、本発明の実施例に係る画像表示装置であるテレビジョン放送受信機能を備えた携帯通信端末１の外観図である。携帯通信端末１は、第１筐体１１と第２筐体１２が開閉可能に接続されて構成される。図１は、第１筐体１１と第２筐体１２が互いに開いた状態を使用者側（正面側）から見て表したものである。ただし、携帯通信端末１の筐体構成は、図１に表したようないわゆる折りたたみ型に限るものではない。
【００１５】
第１筐体１１には、例えば液晶デバイスからなる表示部１４が取り付けられている。表示部１４はテキスト又は画像を表示することができ、携帯通信端末１は表示部１４を用いて画面表示を伴うアプリケーション（例えば電子メール送受信、ウェブページ閲覧、電話帳の作成と閲覧、その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１６】
第２筐体１２には、複数の操作キーからなる操作部１７（破線の枠で囲んで表す。）が取り付けられている。操作部１７は、図示しない第１筐体１１又は第２筐体１２の側面又は背面に設けられた操作キーを含んでもよい。操作部１７に属する操作キーが操作されることにより、携帯通信端末１の起動、停止操作又はテキストや操作コマンドの入力が可能になる。上述した表示部１４、受話部１５、送話部１６及び操作部１７は、いずれも携帯通信端末１のヒューマンインターフェース手段として機能する。
【００１７】
図２は、携帯通信端末１のブロック図である。携帯通信端末１は、アンテナ１９と送受信部２０を備え、図示しない移動通信基地局との間で電波の送受信をすることができる。携帯通信端末１は、音声インターフェース部２１、制御部２２、ランダムアクセスメモリ（ＲＡＭ）２３及び読み出し専用メモリ（ＲＯＭ）２４を備えている。
【００１８】
送受信部２０、音声インターフェース部２１、ＲＡＭ２３及びＲＯＭ２４並びに図１を参照して説明した表示部１４及び操作部１７は、例えば共通バスを通してそれぞれ制御部２２に接続され、制御部２２によって監視及び制御される。制御部２２は、例えばマイクロプロセッサのような処理デバイスが単一で、又は複数のチップが組み合わされて構成される。
【００１９】
ＲＡＭ２３は、携帯通信端末１の機能を実現するために制御部２２が所要のプログラム又はデータを随時読み書きして使用するメモリである。ＲＯＭ２４は、プログラム又はデータが予め書き込まれたメモリである。
【００２０】
音声通話の場合、相手方から上記の基地局を通して送られてくる符号化された音声信号は、アンテナ１９を経て送受信部２０において受信されると共に復調及び誤り訂正復号等の処理がされ、さらに音声インターフェース部２１においてアナログ音声信号に変換されると共に受話部１５から再生される。また、送話部１６がピックアップした音声は音声インターフェース部２１においてディジタル音声信号に変換され、送受信部２０において誤り訂正符号化、変調及び増幅された後アンテナ１９から基地局へ向けて送信される。
【００２１】
データ通信の場合、相手方から上記の基地局を通して送られてくるデータ信号は、アンテナ１９を経て送受信部２０において受信されると共に復調、誤り訂正等の処理がされ、制御部２２に送られてＲＡＭ２３に書き込まれたり表示部１４に表示されたりする。また、操作部１７から入力されたりＲＡＭ２３から読み出されたりしたデータは、送受信部２０において誤り訂正符号化、変調及び増幅された後アンテナ１９から基地局へ向けて送信される。
【００２２】
携帯通信端末１は、テレビジョン放送受信アンテナ（以下、ＴＶアンテナと略す。）２６、チューナー２８及び復号／描画部３０を備えている。チューナー２８は、ＴＶアンテナ２６を介して例えばＤＴＴＢフルセグ放送を受信することができる。復号／描画部３０は、受信したテレビジョン画像を復号して表示部１４に表示させることができる。復号／描画部３０はまた、受信したテレビジョン音声を復号して、インターフェース部２１を介して受話部１５又は図示しないイヤホンジャック等から再生させることができる。
【００２３】
図３は、復号／描画部３０の機能ブロック図である。復号／描画部３０は、機能ブロックとして、分離部３１、映像音声復号部３２、字幕描画部３３、提示情報描画部３４及び画面合成部３５を備えている。
【００２４】
次に、チューナー２８及び復号／描画部３０の動作を説明する。チューナー２８は、ＴＶアンテナ２６を介して受信した放送波を受信して、放送波に含まれた情報を表すディジタル信号を生成する。放送波は、符号化された映像、音声、字幕情報に加えて、番組情報等の提示情報を含むものとする。番組情報分離部３１は、上記のディジタル信号を、映像音声信号、字幕信号及び提示情報の信号に分離する。
【００２５】
映像音声復号部３２は、分離部３１から映像音声信号を受け取って復号し、その結果として復号された映像及び音声信号を表すデータ列をそれぞれ画面合成部３５及び音声インターフェース部２１に送る。字幕描画部３３は、分離部３１から字幕の内容及び表示位置を表すディジタル信号を受け取って、画面上に表示する字幕描画データを生成する。
【００２６】
提示情報描画部３４は、分離部３１から提示情報の内容を表すディジタル信号を受け取るが、当該提示情報の画面上の表示位置を指定する情報は放送波に含まれていない。そのため、図３において矢印付き破線で表すように、制御部２２が提示情報描画部３４に対して当該提示情報の画面上の表示位置を指示する。
【００２７】
画面合成部３５は、映像音声復号部３２から送られた映像のデータ列と、字幕描画部３３が生成した字幕描画データと、提示情報描画部３４から送られた提示情報の描画データを重畳して表示画面を表すデータを合成し、表示部１４に送って画面を表示させる。音声インターフェース部２１は、上記の復号された音声のデータをアナログ音声信号に変換して、受話部１５又は図示しないイヤホンジャック等から音声を再生させる。
【００２８】
図４ないし図９を参照して、制御部２２から提示情報描画部３４への提示情報の画面上の表示位置に関する指示について説明する。図４は、上記の表示位置の指示の単位とする画面の区切りを例示する図である。図４は、表示部１４の画面を横長に置いた状態を表している。図４に示すように、表示部１４の画面を例えば水平方向に３つ、垂直方向に４つに区切ることにより、“Ａ”ないし“Ｍ”の記号を付した１２個のエリアに区切ることができる。
【００２９】
図５は、上記のように表示部１４の画面を区切るエリアと、字幕の表示位置の関係を例示する図である。図５においては、字幕の表示位置がエリア“Ｈ”、“Ｊ”、“Ｌ”及び“Ｍ”に重なっている。
【００３０】
制御部２２は、前述したように提示情報描画部３４に対して当該提示情報の画面上の表示位置を指示するから、エリア“Ａ”ないし“Ｍ”の中からいずれか（単数又は複数）を選択して提示情報を表示させることができる。図６は、図５に示す場合において、表示部１４の画面を区切るエリアと、字幕の表示位置と、提示情報の表示位置の関係を例示する図である。
【００３１】
図６は、表示部１４の画面を区切るエリア“Ａ”ないし“Ｍ”の中から、字幕の表示位置と重ならないエリア（以下、非重複エリアという。）“Ａ”、“Ｄ”及び“Ｇ”を選択して提示情報を表示させた例を表している。提示情報を非重複エリアに表示させることによって、字幕と重畳し見づらくなるのを避けることができる。
【００３２】
制御部２２は、表示部１４の画面を区切るエリア“Ａ”ないし“Ｍ”のそれぞれについて字幕の表示履歴をカウントし、例えばＲＡＭ２３に記憶することができる。字幕の表示履歴とは、例えば受信中の番組を受信し始めてからその時点まで（又は、その時点の直前の所定時間、例えば直前の３分間等。）の字幕の表示回数や累積表示時間を意味する。図７は、エリア“Ａ”ないし“Ｍ”のそれぞれについて上記の字幕の表示履歴をカウントした値を例示する図である。図７の例では、エリア“Ａ”、“Ｂ”、“Ｃ”、…の表示履歴はそれぞれ０、１０、１０、…である。
【００３３】
図５の例では、非重複エリアが複数存在する。図７を併せて参照すると、非重複エリアのうち表示履歴が最小であるエリアは“Ａ”である。そこで制御部２２は、図８に示すように、提示情報を表示するエリアとして“Ａ”から順に選択することができる。図８は、図７に示した場合の字幕と提示情報の表示位置を例示する図である。 “Ａ”単独では表示に不足の場合は、提示情報の表示形状が縦長ならば、図８に示すように縦並びのエリアのうち次に表示履歴が小さい“Ｄ”を併せて選択してもよい。また、提示情報の表示形状が横長ならば、横並びのエリアのうち“A”の次に表示履歴が小さい“Ｂ”を併せて選択してもよい。
【００３４】
非重複エリアが複数存在する場合に、その時点での字幕の表示履歴が最小であるエリアから順に選択して提示情報を表示させることにより、次のタイミングで字幕の表示位置が変化した場合に字幕と提示情報が重畳する可能性を確率的に下げることができる。その結果、提示情報の表示位置がたびたび変更されて煩瑣な視聴感を与える事態を避けることができる。
【００３５】
一方、非重複エリアが発見されない場合にも、その時点での字幕の表示履歴が最小であるエリアから順に選択して提示情報を表示させることにより、次のタイミングで字幕の表示位置が変化した場合に字幕と提示情報が重畳する可能性を確率的に下げることができる。その結果、提示情報の表示位置がたびたび変更されて煩瑣な視聴感を与える事態を避けることができる。
【００３６】
制御部２２は、表示部１４の画面を区切るエリア“Ａ”ないし“Ｍ”のそれぞれについて、提示情報の表示の優先順位を予め定めておくことができる。優先順位は、前述の字幕の表示履歴に加えて、画面の見易さなどを全体的に勘案して定めることができる。図９は、エリア“Ａ”ないし“Ｍ”のそれぞれについて上記の優先順位を例示する図である。図９の例では、エリア“Ｃ”、“Ｂ”、“Ａ”、“Ｍ”、…の順に優先順位が定められている。
【００３７】
図５の例では、非重複エリアが複数存在する。図９を併せて参照すると、非重複エリアのうち上記の優先順位が最高であるエリアは“Ｃ”である。そこで制御部２２は、提示情報を表示するエリアとして“Ｃ”から順に選択することができる。“Ｃ”単独では表示に不足の場合は、提示情報の表示形状が縦長ならば、“Ｃ”に隣接する縦並びのエリアのうちで次に優先順位が高い“Ｆ”を併せて選択してもよい。また、提示情報の表示形状が横長ならば、横並びのエリアのうち“Ｃ”の次に表示履歴が小さい“Ｂ”を併せて選択してもよい。
【００３８】
非重複エリアが複数存在する場合に、上記の優先順位が最高であるエリアから順に選択して提示情報を表示させることにより、次のタイミングで字幕の表示位置が変化した場合に全体的な画面の見易さを確率的に高めることができる。その結果、提示情報の表示に伴う視聴感を全体として良好に保つことができる。
【００３９】
一方、非重複エリアが発見されない場合にも、上記の優先順位が最高であるエリアから順に選択して提示情報を表示させることにより、次のタイミングで字幕の表示位置が変化した場合に全体的な画面の見易さを確率的に高めることができる。その結果、提示情報の表示に伴う視聴感を全体として良好に保つことができる。
【００４０】
さらに、前述した字幕の表示履歴が最小であるエリアから順に選択して提示情報を表示させる場合において、該当する表示履歴最小のエリアが複数存在する場合が考えられる。そのような場合に、当該表示履歴最小の複数のエリアのうち上記の優先順位が最高であるエリアから順に選択して提示情報を表示させることができる。その結果、字幕と提示情報が重畳する可能性を確率的に下げると共に全体的な画面の見易さを確率的に高めることができる。
【００４１】
エリアごとの表示履歴に基づく選択と優先順位に基づく選択を、次の（１）ないし（３）に記載した手順で組み合わせることもできる。すなわち、
（１）表示履歴が最小のエリアを必ず選択する。  
（２）上記（１）で選択した領域に提示情報の表示が収まらない場合は、提示情報の形状に基づいて、次に表示履歴が最小のエリアを選択する。エリアが３以上の場合はこれを繰り返す。  
（３）上記（１）、（２）において、表示履歴が同一のエリアを複数選択可能な場合は、その中で優先順位が最高のエリアを選択する。
【００４２】
図１０は、携帯通信端末１の画像表示に係る動作を表すフローチャートの一例である。図１０に示す例では、ステップＳ１において、チューナー２８がＴＶアンテナ２６を介して放送に含まれる字幕情報を受信する。ステップＳ２において、字幕描画部３３が字幕を描画し、表示部１４の画面上の字幕の表示エリアを算出する。
【００４３】
ステップＳ３において、制御部２２が、テレビ映像の各部分表示エリア（例えば図４のエリア“Ａ”ないし“Ｍ”に相当する。）について描画された字幕との重なりの有無を判定する。重なっていれば、当該エリアの字幕の表示履歴（字幕が重なっていた時間）の累積値に現在の字幕の表示時間を加算して、表示履歴を予備的に更新する。
【００４４】
ステップＳ４において、制御部２２が、字幕の表示履歴の累積時間から範囲外の時間（例えば現在より３分以上前）を減算して、表示履歴を確定的に更新する。
【００４５】
一方、制御部２２はステップＳ５において、テレビ映像に重ねる提示情報を更新する。制御部２２は、字幕の表示位置及び表示履歴を参照して上述したように提示情報の表示位置を決定し、提示情報描画部３４がステップＳ６において提示情報を描画する。最終的にステップＳ７において、描画された字幕とテレビ映像に重ねる提示情報の表示が更新される。
【００４６】
以上に説明した本発明の実施例によれば、字幕と提示情報の重畳の可能性を確率的に下げて、画像表示における画面の見易さを向上させることができる。
【００４７】
以上の説明において、提示情報は番組情報のように、画面上の表示位置を除く中身が放送波に含まれて受信されるものとした。提示情報はこれに限らず、例えば制御部２２で監視した携帯通信端末１の機器のステータス情報や、操作部１７における操作入力に基づく操作画面情報のように、テレビジョン放送に含まれた以外の情報であってもよい。
【００４８】
本発明に係る画像表示装置の一例として、テレビジョン放送の受信機能を有する携帯通信端末について説明したが、本発明はこれに限らず他のテレビジョン放送受信装置に適用することができる。また、画像データの取得は必ずしもテレビジョン放送の受信に限らず、例えば字幕情報を含むストリーミング動画データの受信でもよく、字幕情報を含む画像データが保存された記憶媒体の読み取りであってもよい。
【００４９】
以上の説明における画像表示装置の種類、形状、構成、接続、画面構成（エリアの区切り方を含む。）、処理フロー等は例示であり、本発明の要旨を逸脱しない範囲でさまざまな変形が可能である。
【符号の説明】
【００５０】
１  携帯通信端末
１１  第１筐体
１２  第２筐体
１４  表示部
１５  受話部
１６  送話部
１７  操作部
１９  アンテナ
２０  送受信部
２１  音声インターフェース部
２２  制御部
２３  ＲＡＭ
２４  ＲＯＭ
２６  テレビジョン放送受信アンテナ（ＴＶアンテナ）
２８  チューナー
３０  復号／描画部
３１  分離部
３２  映像音声復号部
３３  字幕描画部
３４  提示情報描画部
３５  画面合成部
【図１】
2010200151.tif 000003
【図２】
2010200151.tif 000004
【図３】
2010200151.tif 000005
【図４】
2010200151.tif 000006
【図５】
2010200151.tif 000007
【図６】
2010200151.tif 000008
【図７】
2010200151.tif 000009
【図８】
2010200151.tif 000010
【図９】
2010200151.tif 000011
【図１０】
2010200151.tif 000012